(57)【特許請求の範囲】
【請求項１】
薬物送達デバイス（１）のためのアセンブリ（３０）であって、
薬物の用量を設定するために近位方向での設定運動を実行するように構成され、薬物の用量を投薬するために遠位方向での投薬運動を実行するように構成されるアクチュエータ（１６）と、
最大量の薬物が送達された後に作用し、用量の設定が阻害されるようにアクチュエータ（１６）の設定運動を軸方向に制限するように構成され、アクチュエータ（１６）の制限された軸方向運動が可能になる、止め具機構（４０）と、
最終用量止め具（３７）を含むピストンロッド（１０）であって、止め具機構（４０）は止め具要素（２７）を含み、該止め具要素（２７）が最終用量止め具（３７）に当接すると近位方向でのアクチュエータ（１６）の動きが阻害される、ピストンロッド（１０）と、
用量を設定するためにピストンロッド（１０）に沿って近位方向に移動するように構成される駆動部材（１４）と
を含み、
ここで、駆動部材（１４）は用量の投薬中、デバイスの投薬端に向かってピストンロッド（１０）を駆動するように構成され、止め具要素（２７）は駆動部材（１４）の内部表面に配置され、突起（２９）として構成され、ピストンロッド（１０）はガイド機能（２６）を含み、ガイド機能（２６）および止め具要素（２７）が用量の設定中はピストンロッド（１０）の回転が阻害されるように相互作用するように構成され、用量の投薬中はピストンロッド（１０）の回転が有効になる、前記アセンブリ。
【請求項２】
最終用量止め具（３７）は、少なくとも部分的に止め具要素（２７）を取り囲むポケットの形態を有する、請求項１に記載のアセンブリ。
【請求項３】
駆動部材（１４）の動きによってアクチュエータ（１６）の動きが起こり、逆も同様であるように、駆動部材（１４）はアクチュエータ（１６）に連結される、請求項１または２に記載のアセンブリ。
【請求項４】
ガイド機能（２６）および止め具要素（２７）は用量の設定中互いに当接する、請求項１〜３のいずれか１項に記載のアセンブリ。
【請求項５】
ガイド機能（２６）および止め具要素（２７）は用量の投薬中、互いを通過して移動するように構成される、請求項１〜４のいずれか１項に記載のアセンブリ。
【請求項６】
ガイド機能（２６）は複数のスプライン（２８）を含む、請求項１〜５のいずれか１項に記載のアセンブリ。
【請求項７】
ガイド機能（２６）は３列のスプライン（２８）を含み、スプライン（２８）はピストンロッド（１０）の外周周りに均等に分布する、請求項６に記載のアセンブリ。
【請求項８】
止め具要素（２７）は、駆動部材（１４）の用量設定運動中にガイド機能（２６）の少なくとも１つのスプライン（２８）と接触する、請求項６または７に記載のアセンブリ。
【請求項９】
止め具要素（２７）は、スプライン（２８）の軸方向距離は、止め具要素（２７）の軸方向の伸張よりも小さい、１回の用量設定運動中に２つまたはそれ以上のスプライン（２８）を通過する、請求項６〜8のいずれか１項に記載のアセンブリ。
【請求項１０】
駆動部材（１４）は用量の設定および投薬中に軸方向の非回転運動を行う、請求項１〜９のいずれか１項に記載のアセンブリ。
【請求項１１】
用量の投薬中の駆動部材（１４）の軸方向変位は、用量の投薬中のピストンロッド（１０）の軸方向変位よりも大きい、請求項１〜１０のいずれか１項に記載のアセンブリ。
【請求項１２】
ピストンロッド（１０）の動きは用量の設定中阻害される、請求項１〜１１のいずれか１項に記載のアセンブリ。
【請求項１３】
デバイスの投薬端に向かう遠位方向での駆動部材（１４）の動きにより、ピストンロッド（１０）が回転し、デバイスの遠位端に向かって軸方向に移動する、請求項１〜１２のいずれか１項に記載のアセンブリ。
【請求項１４】
薬物送達デバイスが固定用量デバイスである、請求項１〜１３のいずれか１項に記載のアセンブリを含む、薬物送達デバイス。
【発明の詳細な説明】
【技術分野】
【０００１】
本開示は、薬物送達デバイスのためのアセンブリに関する。より詳細には、本開示はペン型薬物送達デバイスに関する。
【背景技術】
【０００２】
ペン型薬物送達デバイスは正式な医学訓練を受けていない人による注射に使用される。これは、糖尿病等を患う患者における自己治療ではますます一般的なものとなっている。このような自己治療によって、患者は効果的に患者自身の疾患を管理できる。ペン型薬物送達デバイスは通常、駆動機構が内部に配置されるハウジングを含む。薬物送達デバイスの一部の種類は、薬物を含むカートリッジを収容するためのコンパートメントをも含む。駆動機構によって、カートリッジ内のピストンが変位されるため、その内部に収容されていた薬物が針を通って投薬される。
【０００３】
注射に先立って、必要な用量の薬物を用量設定機構を用いて設定する。用量設定機構の一般的な設計は、用量ダイヤルスリーブ、用量表示スリーブ、駆動スリーブまたはラチェットスリーブのような複数の管状またはスリーブ状要素を含む。このようなスリーブはしばしば、互い収容され、連結される。
【０００４】
薬物送達デバイスおよび薬物送達デバイスのためのアセンブリが、たとえば特許文献１に記述される。
【先行技術文献】
【特許文献】
【０００５】
【特許文献１】国際公開第２００８／０５８６６５号（Ａ１）
【発明の概要】
【発明が解決しようとする課題】
【０００６】
本発明の目的は、改善された特性を有する薬物送達デバイスのためのアセンブリを提供することである。
【課題を解決するための手段】
【０００７】
本発明の一態様によれば、薬物送達デバイスのためのアセンブリが提供される。アセンブリは、アクチュエータを含み、アクチュエータは、薬物の用量を設定するために近位方向での設定運動を実行するように構成され、アクチュエータは、薬物の用量を投薬するために遠位方向での投薬運動を実行するように構成される。アセンブリは、最大量の薬物が送達された後に作用する止め具機構をさらに含み、止め具機構は、用量の設定が阻害されるようにアクチュエータの設定運動を軸方向に制限するように構成され、アクチュエータの制限された軸方向運動が可能になる。制限された軸方向運動は０よりも大きいが、用量設定運動よりも小さくてもよい。
【０００８】
最大量は、デバイス内で可能な薬物量であってもよい。たとえば、最大量はカートリッジが収容する量であってもよい。一実施形態によれば、アクチュエータの軸方向運動は、決まった回数の投薬運動の後制限されてもよい。特に、アクチュエータの軸方向運動は、最後の可能な用量が投薬された後に制限されてもよい。
【０００９】
アクチュエータの制限された軸方向運動が可能なときに用量の設定を阻害する止め具機構の利点は、アクチュエータの制限された運動が、たとえば製作公差故に可能な場合でもいかなる用量も設定できないことである。このことにより、不十分な用量等の誤った用量が使用者により投薬され得ない。特に、使用者がデバイス内の薬物の残存量よりも大きい用量を設定することを阻害できる。これにより、用量の正確さが改善され得る。さらに、デバイスが空であるというフィードバックが使用者に与えられる。加えて、デバイスは止め具機構によってロックできる。これは、再使用不可能な使い捨て薬物送達デバイスにとって有利である。
【００１０】
一実施形態によれば、アクチュエータはボタンであってもよい。アクチュエータの設定運動は、近位方向での並進運動であってもよい。特に、アクチュエータは使用者によって近位方向に移動され得る。特に、アクチュエータは機械式止め具に到達するまで近位方向に移動され得る。アクチュエータの投薬運動は、遠位方向での運動、たとえば、純粋な軸方向運動であってもよい。特に、アクチュエータは用量を投薬するために使用者によって遠位方向に押され得る。アクチュエータは軸方向に移動可能であり、主ハウジング部材に回転可能に固定され得る。
【００１１】
一実施形態によれば、アセンブリは主ハウジング部材を含むことができ、アクチュエータは、薬物の用量を投薬するために主ハウジング部材に向かって押し下げられるように構成され得る。特に、アクチュエータは、投薬操作の最後に機械式止め具に当接するまで主ハウジング部材に向かって押し下げられてもよい。
【００１２】
遠位方向はデバイスの投薬端寄りの方向であってもよい。同様に、アセンブリまたは任意の部品の遠位端は、投薬端に最も近い端部であってもよい。近位方向はデバイスの投薬端から離れる方向であってもよい。アセンブリまたは任意の部品の近位端は、投薬端から最も遠い端部であってもよい。
【００１３】
一実施形態によれば、アセンブリは、ピストンロッドを含む。ピストンロッドは、主ねじとして構成され得る。アクチュエータの投薬運動中、ピストンロッドは遠位方向での軸方向および回転運動を行うことができる。このことにより、薬物の用量が投薬できる。用量の設定中、ピストンロッドはアセンブリの主ハウジング部材に固定され得る。デバイスの操作中、ピストンロッドは開始位置から終了位置まで移動できる。ピストンロッドは、デバイスから用量が一切送達されていないときに開始位置にあってもよい。開始位置は、ピストンロッドの最も近位の位置であってもよい。終了位置は、ピストンロッドの最も遠位の位置であってもよい。ピストンロッドは、用量投薬方向でのアクチュエータの動きによって、その終了位置に向かって移動され得る。ピストンロッドは、最大量の薬物が送達された、特に最後の用量が送達されたときに終了位置にあってもよい。
【００１４】
一実施形態によれば、アセンブリは内部ハウジングを含むことができる。内部ハウジングは主ハウジングに固定され得る。内部ハウジングは、開口部を含むことができ、ピストンロッドは開口部を通って延びる。好ましくは、ピストンロッドは内部ハウジングと螺合する。
【００１５】
ピストンロッドは少なくとも１つの最終用量止め具を含むことができる。最終用量止め具は、ピストンロッドの突起として構成され得る。一実施形態では、最終用量止め具は、対向して配置された２つの突起を含むことができる。最終用量止め具は、ピストンロッドの近位セクションまたは近位端近傍に配置され得る。
【００１６】
止め具機構は、ピストンロッドの少なくとも１つの最終用量止め具と相互に作用するように構成される少なくとも１つの止め具要素を含むことができる。特に、止め具要素は最終用量止め具に当接するように構成され得る。アセンブリは、最大量の薬物が投薬された後に止め具要素が最終用量止め具と相互に作用できるように構成され得る。止め具要素が最終用量止め具に当接すると、近位方向でのアクチュエータの動きが阻害される。このことにより、さらなる用量の設定が阻害される。
【００１７】
薬物の最大量、より詳細には最後の用量が送達されると、止め具要素は最終用量止め具に対してある軸方向距離を有して配置され得る。さらに、最終用量止め具は、デバイスの投薬端から見て止め具要素の真上に位置してもよい。止め具要素と最終用量止め具との軸方向距離は、アクチュエータの可能な制限された軸方向運動に対応する。
【００１８】
一実施形態によれば、最終用量止め具は、止め具要素が最終用量止め具に当接したときに少なくとも部分的に止め具要素を取り囲むように形成される。それによってデバイスがロックされ得る。一実施形態によれば、最終用量止め具は挿入用溝を含むことができる。挿入用溝により、ピストンロッドの可能な回転方向の両方に対する当接が提供され得る。より詳細には、溝はデバイスの長手軸に対して傾斜していてもよい。たとえば、最終用量止め具は、ポケットの形態を含むことができる。止め具要素はポケット内に係合することができる。それによって、横方向に最終用量止め具を通過する止め具要素の動きが阻害できる。たとえば、最終用量止め具は、円錐の形態を含むことができ、またはテーパ形であってもよい。したがって、止め具機能は、最終用量止め具に嵌入するように形成され得る。
【００１９】
一実施形態によれば、アセンブリは、駆動部材を含む。駆動部材はスリーブ部材であってもよい。駆動部材は、アセンブリのハウジングに対して回転可能に固定され得る。用量の設定中、駆動部材はピストンロッドに対して相対的な軸方向運動を行うことができる。駆動部材は、用量を設定するためにピストンロッドに沿って近位方向に移動するように構成され得る。用量は固定用量であってもよい。より詳細には、使用者は設定された用量の量を調節しなくてもよい。用量の投薬中、駆動部材はピストンロッドをデバイスの投薬端に向かって、つまり詳細には終了位置に向かって駆動してもよい。特に、駆動部材の遠位方向での動きによって、ピストンロッドが回転し、デバイスの遠位端に向かって軸方向に移動できる。用量の設定および投薬中の駆動部材の軸方向運動の量を決定してもよい。それによって、設定された用量の量が固定される。たとえば、アセンブリは止め具表面を含むことができ、駆動部材が止め具表面に当接したときにある方向でのさらなる軸方向運動が阻害される。止め具表面はハウジングに含まれてもよい。より詳細には、駆動部材は用量の設定および投薬中に軸方向の非回転運動を行うことができる。駆動部材はピストンロッド周りに同心円状に配置され得る。さらに、駆動部材はその内部表面にねじ山を含むことができる。それによって、駆動部材はピストンロッドの対応するねじ山と螺合できる。対応するねじ山はピストンロッドの近位端に配置され得る。
【００２０】
用量を設定するために、アクチュエータが使用者により押されると、駆動部材は遠位方向に移動し、ピストンロッドへの軸方向の力を及ぼすことができる。それによって、ピストンロッドは内部ハウジングの開口部によって回転することができる。加えて、ピストンロッドはさらに、部分的に駆動部材内へと戻るように螺旋状に後退する。このことにより、用量の投薬中における駆動部材の軸方向変位は、用量の投薬中のピストンロッドの軸方向変位よりも大きい。このことにより、機械的利点を得ることができる。機械的利点は、駆動部材のねじ山の高さと、それに従うピストンロッドを選択することによって調整できる。
【００２１】
止め具要素は、駆動部材の内部表面に配置され得る。たとえば、止め具要素は、駆動部材の内部表面における突起であってもよい。一実施形態によれば、駆動部材は２つの止め具要素、特に、その内部表面にて対向して配置される２つの突起を含むことができる。駆動部材の２つの突起は、最終用量止め具の２つの突起と相互作用してもよい。
【００２２】
一実施形態によれば、駆動部材は、駆動部材の動きによりアクチュエータの動きが引き起こされ、またその逆が起きるように、アクチュエータに連結され得る。たとえば、使用者が用量を設定するためにアクチュエータを引っ張ると、駆動部材は近位方向に引っ張られてもよい。使用者が用量を投薬するためにアクチュエータを押すと、駆動部材は遠位方向に押され得る。一実施形態によれば、駆動部材およびアクチュエータは一体部品として形成され得る。
【００２３】
一実施形態によれば、アセンブリはガイド機能を含む。より詳細には、ガイド機能はピストンロッドに含まれ得る。ガイド機能および止め具要素は、用量の設定中にピストンロッドの不意の回転が阻害されるように、相互作用するように構成され得る。より詳細には、用量の設定中に駆動部材によってトルクがピストンロッドに及ぼされたときに、ピストンロッドの不意の回転が阻害され得る。より詳細には、ガイド機能および止め具要素は用量の設定中互いに当接してもよい。これにより、用量の正確さが改善され得る。用量の投薬中、ピストンロッドの回転を有効にできる。
【００２４】
一実施形態によれば、ガイド機能および止め具要素は用量の投薬中、互いを通過して移動するように構成される。特に、用量の投薬中のピストンロッドの回転は、ガイド要素が止め具要素に当接しないようなものであってもよい。止め具要素は、螺旋状経路に沿ってピストンロッドに対して移動してもよい。
【００２５】
一実施形態によれば、ガイド機能は複数のスプラインを含むことができる。スプラインは少なくとも１列で配置されてもよく、この列は軸方向にピストンロッドに沿って延在する。一実施形態によれば、ピストンロッドは３列のスプラインを含むことができる。列は、ピストンロッドの外周周りに均等に分布してもよい。
【００２６】
用量の設定中、止め具要素はガイド機能のスプラインのうち少なくとも１つに当接してもよい。より詳細には、止め具要素は、軸方向に互いに上下に配置される２つのスプラインに当接してもよい。２つのスプライン間の距離は、止め具要素の軸方向伸長よりも小さくてもよい。それによって、ピストンロッドの回転は用量の設定中確実に阻害できる。しかし、止め具要素は、用量設定のまさに最初および最後ではスプラインに当接しない。
【００２７】
本発明のさらなる態様によれば、薬物送達デバイスが提供される。薬物送達デバイスは、先に記載したような駆動アセンブリを含む。
【００２８】
薬物送達デバイスは注射デバイス、特に、ペン型デバイスであってもよい。薬物送達デバイスは使用者に薬物の用量を送達するのに適していてもよい。用量はアクチュエータを押し下げることにより送達されてもよい。薬物送達デバイスは、使用者が用量のサイズを選択できないような固定用量デバイスであってもよい。たとえば、用量設定機構はプッシュプル式機構であってもよい。薬物送達デバイスは複数の用量用途のために構成され得る。薬物は針によって使用者に送達され得る。デバイスは、使える状態の完全組立状態で使用者に送達できる。より詳細には、デバイスは予め充填されていてもよい。薬物送達デバイスは使い捨てデバイスであってもよい。用語「使い捨て」とは、可能な量の薬物が薬物送達デバイスから送達された後に薬物送達デバイスが再使用できないことを意味する。あるいは、薬物送達デバイスは再利用可能デバイスであってもよい。薬物送達デバイスは液体薬物を送達するように構成され得る。薬物はたとえば、インスリンであってもよい。
【００２９】
本明細書で使用する用語「薬物」は、好ましくは、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００３０】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００３１】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００３２】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３３】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３４】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３５】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３６】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３７】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００３８】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００３９】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００４０】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００４１】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００４２】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４３】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４４】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４５】
薬学的に許容される溶媒和物は、たとえば、水和物である。
【００４６】
さらなる特徴、変形例および実施例が、図に関連した例示的な実施形態の以下の説明で明らかとなる。
【図面の簡単な説明】
【００４７】
【図１】薬物送達デバイスの断面図を示す。
【図２】薬物送達デバイスのアセンブリを示す。
【図３】異なる状態の止め具機構を示す。
【図４】異なる状態の止め具機構を示す。
【図５】平面図で駆動部材を示す。
【図６】ピストンロッドおよび駆動部材の断面図を示す。
【図７】ピストンロッドおよび駆動部材の断面図を示す。
【図８】異なる状態のガイド機能および止め具要素を示す。
【図９】異なる状態のガイド機能および止め具要素を示す。
【図１０】異なる視野からの図８の状態を示す。
【図１１】異なる視野からの図９の状態を示す。
【発明を実施するための形態】
【００４８】
図１は薬物送達デバイス１の断面図を示す。薬物送達デバイス１は、カートリッジ保持部材２と、主ハウジング部材３とを含む。カートリッジ保持部材２の近位端および主ハウジング３の遠位端は、当業者に既知の任意の好適な手段によって一緒に固定される。図示した実施形態では、カートリッジ保持部材２は主ハウジング部材３の遠位端内に固定される。
【００４９】
そこから複数の用量の医薬品が投薬できるカートリッジ４が、カートリッジ保持部材２内に提供される。ピストン５はカートリッジ４の近位端内に保持される。
【００５０】
着脱可能なキャップ２２がカートリッジ保持部材２の遠位端の上に解放可能に保持される。着脱可能なキャップ２２は場合により、それを通してカートリッジ４内のピストン５の位置が見える１つまたはそれ以上のウィンドウ開口部２５を備える。
【００５１】
図示した実施形態におけるカートリッジ保持部材２の遠位端は、カートリッジ４から薬剤を投薬できるように好適なニードルアセンブリ（図示せず）を取り付けるように設計された遠位ねじ付領域６を備える。
【００５２】
図示した実施形態では、主ハウジング部材３は内部ハウジング７を備える。内部ハウジング７は、主ハウジング部材３に対する回転および軸方向運動に抗して固定される。あるいは、内部ハウジング７は主ハウジング部材３と一体化されてもよい。内部ハウジング７は環状開口部８を備える。ねじ山３２は内部ハウジング７の開口部８に配置される。特に、内部ハウジング７はピストンロッドナットとして構成される。図示した実施形態では、環状開口部８は、完全ねじ山でなく一連の部分ねじ山を含む。
【００５３】
第１のねじ山９はピストンロッド１０の遠位端に形成される。ピストンロッド１０は略環状断面である。ピストンロッド１０の第１のねじ山９は、内部ハウジング７の環状開口部８のねじ山３２を通って延び、かつこれと螺合する。押さえ１１はピストンロッド１０の遠位端に位置する。押さえ１１はピストン５の近位面に当接するように配置される。第２のねじ山１２はピストンロッド１０の近位端に形成される。図示した実施形態では、第２のねじ山１２はピストンロッド１０の可撓性アーム１３に形成される、完全なねじ山ではなく一連の部分ねじ山を含む。
【００５４】
第１のねじ山９および第２のねじ山１２は対向して配置される。
【００５５】
図示した実施形態では、第１のねじ山９は、環状開口部８のねじ山３２と協働して用量の設定中の近位方向でのピストンロッド１０の動きを防ぐ複数の特徴（図２参照）を備える。特に、ピストンロッド１０は逆巻き制限される。
【００５６】
駆動部材１４はピストンロッド１０の周りに延びる。駆動部材１４は駆動スリーブとして構成される。駆動部材１４は、略円筒形断面のねじ付部材１５を含む。アクチュエータ１６は駆動部材１４の近位端に位置する。ねじ付部材１５およびアクチュエータ１６が互いに対して固定され、それらの間の回転運動および／または軸方向運動を防止する。あるいは、駆動部材１４は一体型ねじ付部材１５およびアクチュエータ１６からなる一体形成構成要素であってもよい。用量の設定中、駆動部材１４は近位方向に移動される。より詳細には、使用者は主ハウジング部材３から外へ近位方向にアクチュエータ１６を引っ張ることができる。
【００５７】
図示した実施形態では、ねじ付部材１５は、内部円筒面に形成された長手方向に延びる螺旋状ねじ山１７を備える。螺旋状ねじ山１７の近位側の側面は、用量投薬時のピストンロッド１０の第２のねじ山１２との接点を維持するように設計されるのに対し、螺旋状ねじ山１７の遠位側の側面は、用量設定時にピストンロッド１０の第２のねじ山１２が係合解除できるように設計される。このようにして、ねじ付部材１５の螺旋状ねじ山１７は、ピストンロッド１０の第２のねじ山１２と解放可能に係合する。
【００５８】
駆動部材１４は、主ハウジング３のガイドスロット内で軸方向に移動するように設計された、外面に形成される複数の特徴を有する。これらのガイドスロットによって、ハウジング部材３に対する駆動部材１４の許容可能な軸方向運動の程度を規定する。図示した実施形態では、ガイドスロットはまた、駆動部材１４の主ハウジング部材３に対する回転運動を防止する。
【００５９】
アクチュエータ１６は、複数の把持表面１８および投薬面１９を有する。
【００６０】
デバイスの操作の直観性を高めるために、主ハウジング部材３は、それを通して駆動部材１４に設けられた視覚的な状態インジケータを見ることができるウィンドウ開口部を備えてもよい。
【００６１】
本発明による薬物送達デバイスの操作をここで説明する。
【００６２】
用量を設定するために、使用者は駆動部材１４の把持表面１８を把持する。次に、使用者は主ハウジング部材３から離れる近位方向に駆動部材１４を引っ張る。
【００６３】
ピストンロッド１０は、ピストンロッド１０の第１のねじ山９のねじ山機能と相互作用する内部ハウジング７の環状開口部８のねじ山３２によって、または任意の他の適切な手段によって近位方向に移動することを防止される。より詳細には、ピストンロッド１０の第１のねじ山９および第２のねじ山１２は、内部ハウジング７と駆動スリーブ１４との相対位置が維持される限り、ピストンロッド１０を軸方向に制限し、かつ回転を制限する。駆動部材１４が用量の設定中に、ピストンロッド１０に対して近位方向に移動するとき、ピストンロッド１０の第２のねじ山１２は、駆動部材１４の螺旋状ねじ山１７の遠位側の側面によって半径方向内側に変位される。
【００６４】
駆動部材１４の近位行程は、内部ハウジング７または主ハウジング３のガイドスロット（図示せず）によって、駆動部材１４の螺旋状ねじ山１７の本質的に１つのねじ山の高さに対応する距離に制限される。駆動部材１４の行程の終わりでは、ピストンロッド１０の第２のねじ山１２は、ピストンロッド１０の可撓性アーム１３の作用により螺旋状ねじ山１７に係合する。この作用によって、駆動部材１４は、駆動部材１４の螺旋状ねじ山１７の１つの高さに本質的に等しい距離だけピストンロッド１０に対して近位方向に変位される。可撓性アーム１３により提供される力によって駆動部材１４の螺旋状ねじ山１７とポジティブ係合する第２のねじ山１２の作用により、用量が設定されたことを使用者に表示するための可聴および触覚フィードバックを作成する。加えて、用量設定に関する視覚フィードバックは、駆動部材１４に設けられる、任意の視覚的状態インジケータによって表示することができ、これは、主ハウジング部材３の任意のウィンドウ開口部を通して見ることができる。
【００６５】
用量が設定されると、使用者はその後、アクチュエータ１６の投薬面１９を押し下げることによってこの用量を投薬することができる。この作用により、駆動部材１４は主ハウジング部材３に対して遠位方向に軸方向に移動する。ピストンロッド１０の第２のねじ山１２が駆動部材１４の螺旋状ねじ山１７とポジティブ係合するとき、ピストンロッド１０は、遠位方向での駆動部材１４の軸方向運動によって内部ハウジング７に対して回転させられる。ピストンロッド１０が回転するにつれ、ピストンロッド１０の第１のねじ山９が、内部ハウジング７のねじ付環状開口部８内で回転し、ピストンロッド１０が内部ハウジング７に対して遠位方向に軸方向に移動する。
【００６６】
前進に加えて、ピストンロッド１０はさらに、部分的に駆動部材１４内へと戻るように螺旋状に後退する。それによって、駆動部材１４の軸方向変位は、ピストンロッド１０の軸方向変位よりも大きい。
【００６７】
ピストンロッド１０の遠位軸方向運動によって、押さえ１１がカートリッジ４のピストン５を支承し、薬剤の用量が取り付けられた針を通して投薬される。
【００６８】
駆動部材１４の遠位行程は、内部ハウジング７のガイドスロットまたは止め具表面（図示せず）によって制限される。用量投薬に関する視覚フィードバックは、駆動部材１４に設けられる、任意の視覚的状態インジケータによって表示することができ、これは、主ハウジング部材３の任意のウィンドウ開口部を通して見ることができる。
【００６９】
さらなる用量が、所定の最大回数の用量まで必要に応じて送達され得る。
【００７０】
ピストンロッド１０、駆動部材１４、および内部ハウジング７は図２により詳細に示される。
【００７１】
ピストンロッド１０の第１のねじ山９は、平坦部分３１を有する。用量の設定中、内部ハウジング７のねじ山３２は平坦部分３１と相互作用する。内部ハウジング７とピストンロッド１０の平坦部分３１との相互作用は、用量の設定中に軸方向にピストンロッド１０を制限するように構成される。より詳細には、ピストンロッド１０は、用量の設定中に駆動スリーブ１４とともに近位方向に移動することを防止される。代替的実施形態では、ピストンロッド１０の第１のねじ山９は、ピストンロッド１０と内部ハウジング７との境界面がオーバーホール不能なように、浅い高さを有してもよい。
【００７２】
図３および図４は、アセンブリ３０の止め具機構４０を示す。止め具機構４０は、可能な薬物量がデバイスから投薬された後に用量の設定を阻害するように構成される。より詳細には、止め具機構４０は、カートリッジ４が空のとき用量の設定を阻害する。より詳細には、止め具機構４０は使用者にデバイスが空であるというフィードバックを与える。たとえば、薬物の１５回分の用量がデバイス１から送達され得る。１６回目の用量の設定は阻害できる。
【００７３】
止め具機構は、止め具要素２７を含む。止め具要素２７は駆動部材１４の一体部材である。図５に示すように、止め具要素２７は、駆動部材１４の内部表面における突起２９として構成される。より詳細には、止め具要素２７は、２つの突起２９を含む。２つの突起２９は対向して配置される。第１の突起２９とは対向して配置される止め具要素２７の第２の突起２９により、機構に半径方向の安定性が加わる。さらに、駆動部材１４は対称な構成要素であってもよい。止め具要素２７は駆動部材１４の遠位セクションに配置される。
【００７４】
図３および図４では、駆動部材１４は明確さを期するために、突起２９以外は切り取られる。
【００７５】
止め具機構４０によって、近位方向での駆動部材１４の軸方向運動が制限される。より詳細には、駆動部材１４の軸方向運動は、最後の用量がデバイスから投薬された後に制限される。このことにより、アクチュエータ１６の軸方向運動もまた制限される。しかしながら、駆動部材１４とアクチュエータ１６との制限された軸方向運動が依然として可能である。このような動きは０よりも大きいが、通常の用量設定運動よりも小さくてもよい。制限された軸方向運動は製作公差により可能であってもよい。
【００７６】
図３では、アセンブリ３０は、最後の用量が投薬されたときの状態で示される。ピストンロッド１０は、最終用量止め具３７を含む。最終用量止め具３７は、ピストンロッド１０の突起として構成される。一実施形態では、最終用量止め具３７は、ピストンロッド１０において対向して配置された２つの突起を含むことができる。
【００７７】
最後の用量が投薬されると、最終用量止め具は、アセンブリの投薬端から見て止め具要素２７の上に配置される。さらに、最終用量止め具３７は止め具要素２７に対してある軸方向距離を有して配置される。使用者がここでアクチュエータ１６を引っ張って用量を設定しようとすると、駆動部材１４は近位方向に移動し、図４に示すように、止め具要素２７はピストンロッド１０の最終用量止め具３７に当接する。止め具要素２７が最終用量止め具に当接すると、用量設定方向での駆動部材１４のさらなる動きは一切不可能となる。最終用量止め具３７は、少なくとも部分的に止め具部材２７を取り囲むように形成される。たとえば、最終用量止め具３７の突起は、ポケットの形態を含む。それによって、止め具要素２７が最終用量止め具３７に当接した後、使用者が強制的にアクチュエータ１６を引っ張った場合、駆動部材１４とピストンロッド１０との相対回転が阻害される。
【００７８】
図６および図７は駆動部材１４およびピストンロッド１０の断面図を示す。図６は、用量が設定されたときまたは用量の設定前の状態におけるピストンロッド１０および駆動部材１４を示す。より詳細には、駆動部材１４の螺旋状ねじ山１７は、ピストンロッド１０の第２のねじ山１２と係合する。図７は、用量の設定中のピストンロッド１０および駆動部材１４を示す。用量の設定中、駆動部材１４の螺旋状ねじ山１７は、ピストンロッド１０の第２のねじ山１２と係合しない。
【００７９】
駆動部材１４は、傾斜表面３３を含む。傾斜表面３３は、図７に示すように、用量の設定中ピストンロッド１０の可撓性アーム１３上で摺動する。傾斜表面３３によりピストンロッド１０の可撓性アーム１３に印加される力によって、ピストンロッド１０へのトルクを誘起する。
【００８０】
ピストンロッド１０が用量の設定中に回転するのを防ぐため、ピストンロッド１０は、ガイド機能２６を含む。ガイド機能２６は、用量の設定中に止め具要素２７と相互作用するように構成される。
【００８１】
ピストンロッド１０のガイド機能２６は、図２〜図４および図８〜図１１に示される。ガイド機能２６は、複数のスプライン２８を含む。スプライン２８は互いに距離を空けて１列に配置される。より詳細には、ガイド機能２６は、３列のスプライン２８（図示せず）を含む。３つの列は、ピストンロッド１０の外周周りに均等に分布している。
【００８２】
図８は、ピストンロッド１０および止め具要素２７の１つの突起２９のセクションを示す。より詳細には、図８は用量の設定中の状態を示す。駆動部材１４は、突起２９以外は明確さを期するために切り取られている。用量の設定中、駆動部材１４の止め具要素２７はピストンロッド１０のガイド機能２６に当接する。それによって、ピストンロッド１０の回転が阻害される。駆動部材１４とガイド機能２６との当接は、用量の設定中にピストンロッド１０に対して誘起されるトルクからもたらされる。ピストンロッド１０に印加されるトルクの方向は矢印３５で示される。
【００８３】
止め具要素２７は、１回の設定運動中に２つまたはそれ以上のスプライン２８を通過してもよい。これらスプライン２８の軸方向距離は、止め具要素２７の軸方向の伸張よりも小さい。それによって、止め具要素２７は用量の設定中に２つのスプライン２８間を通過できない。スプライン２８は、ピストンロッド１０の第１のねじ山９にすぐ隣接して配置される。
【００８４】
図９は、用量が設定されたときの状態における、図８のピストンロッド１０および突起２９を示す。この状態では、止め具要素２７はガイド機能２６にはもはや当接していない。
【００８５】
用量の投薬中、ピストンロッド１０は駆動部材１４に対して回転する。この回転中、止め具要素２７はピストンロッド１０に沿って螺旋状運動を行う。より詳細には、止め具要素２７の突起２９は、ガイド機能のスプライン機能２８間を通って移動する。止め具要素の螺旋状運動は図３の矢印３６で示される。
【００８６】
図１０および図１１は、図８および図９と同様に、用量の設定中および用量の設定後の止め具要素２７の第２の突起２９およびピストンロッドを示す。
【符号の説明】
【００８７】
１  薬物送達デバイス
２  カートリッジ保持部材
３  主ハウジング部材
４  カートリッジ
５  ピストン
６  遠位ねじ付領域
７  内部ハウジング
８  ねじ付環状開口部
９  第１のねじ山
１０  ピストンロッド
１１  押さえ
１２  第２のねじ山
１３  可撓性アーム
１４  駆動部材
１５  ねじ付部材
１６  アクチュエータ
１７  螺旋状ねじ山
１８  把持表面
１９  投薬面
２２  着脱可能なキャップ
２５  ウィンドウ開口部
２６  ガイド機能
２７  止め具要素
２８  スプライン
２９  突起
３０  アセンブリ
３１  平坦部分
３２  内部ハウジングのねじ山
３３  駆動部材の傾斜表面
３４  ピストンロッドの主軸
３５  矢印
３６  矢印
３７  ピストンロッドの最終用量止め具
４０  止め具機構
【図１】
0006352316.tif 000002
【図２】
0006352316.tif 000003
【図３】
0006352316.tif 000004
【図４】
0006352316.tif 000005
【図５】
0006352316.tif 000006
【図６】
0006352316.tif 000007
【図７】
0006352316.tif 000008
【図８】
0006352316.tif 000009
【図９】
0006352316.tif 000010
【図１０】
0006352316.tif 000011
【図１１】
0006352316.tif 000012